(57)【要約】【課題】従来の簡易マスクは、マスクと装着した顔の皮膚との間に隙間ができやすく、密着度が高くないマスクが多い。その結果、その隙間から、埃、塵等が入りやすく、マスク本来の性能が、発揮されにくく、また、メガネ等、装着時、息が漏れ、レンズがくもりやすいなどの問題点があった。歯科技工業などの粉塵が漂っている仕事の現場で常時マスク装着が理想であるが、技工作業のワックス形成で溶かしたワックスを口で吹いて冷やすという作業は不可欠であるが、その都度、マスクを外して行わなければならない。また［非特許文献１］のレジン製作のマスクは、製作工程、製作場所など時間的、物理的に負担が大きい製作法であった。【解決手段】顔の３Ｄスキャニングを行い、コンピューター上でデザインし、金型を作成し、軟質のシリコーン樹脂の鼻だけを覆うマスク本体１を製作する。フィルター３を内蔵したベルト２をマスク本体１に固定して使用する。【選択図】図１
2018042962.tif 000002
【特許請求の範囲】
【請求項１】
鼻部の材質に軟質のシリコーン樹脂を用い、鼻部のみを覆う軟質のシリコーン樹脂マスクの製作は非接触型の空間計測機器を、フェイシャルスキャナーとして応用して、顔の３Ｄスキャニングを行いコンピューター上での、取り扱いにより、個々の鼻に合った形態のマスクデザインを行い、鼻部の原型を、切削加工、または、３Ｄプリンターの積層造形加工で、プラスチック樹脂のオス型、メス型を製作し、オス型メス型を合わせ、その空洞に軟質のシリコーン樹脂を射出成形し鼻部のみをカバーするマスクを製作し、シリコーン樹脂マスクと耳とをつなぐベルトの、シリコーン樹脂マスクから離れた場所にフィルターを装着することを特徴とするシリコーンノーズマスク
【発明の詳細な説明】
【技術分野】
【０００１】  この発明は、風邪の予防や花粉・アレルギー対策や粉塵対策に用いる簡易マスクの形状、および製作法に関する。
【背景技術】
【０００２】  従来の風邪予防や花粉・アレルギー対策や粉塵対策に用いる簡易マスクの形状は、［図６］に示すように、口と鼻を覆うフィルターの面積が広いものである。また［非特許文献１］の自家製マスクの製作法は、樹脂（プラスチック）のレジンで、鼻のみをカバーするマスクと下顎に当てるＵ字状のバーを製作して、マスクに吸排気弁を取り付け、吸気口にホースを取り付け、ホースの端にフィルターを取り付け、マスクをベルトに取り付け、ベルトにフィルターを固定して完成させるものである。
【先行技術文献】
【特許文献】
【０００３】  なし
【非特許文献】
【０００４】
【非特許文献１】（歯科技工）大久保秀一  Ｎｏ１３９  鼻部のみをカバーし、後頭部にフィルターを装備した自家製マスクの製作法  １９９９年３月号
2018042962.tif 000003
【発明の概要】
【発明が解決しようとする課題】
【０００５】しかしながら、以上の技術によれば、［非特許文献１］の自家製マスク製作法では、樹脂（プラスチック）のレジンを鼻の部分に直接当てて形成加工するのは、マスクの形態を、レジンが硬化するまで維持するのが困難で、レジンの硬化熱で皮膚に炎症をおこしかねない。
また間接法による製作法では、鼻のみをカバーするマスクを歯科用印象材を用いた顔面印象により個人の鼻の形態を印象材で採得し、それに石膏を流しこみ、石膏模型上で、樹脂（プラスチック）のレジンを形成加工して、個人の鼻のみをカバーするマスクを完成する。
また間接法では、マスクを希望する人が、印象材が使用できる施設に行き顔面印象採得を行う。
このように［非特許文献１］のマスク製作の直接法および間接法では、印象採得に、作業者の技術の、熟練度が必要である。また製作工程が複雑で作業に時間がかかりすぎて、多くの人のマスクを大量に生産するのが困難である。
［非特許文献１］の自家製マスクの部品点数が多く、材料コストがかかりすぎる。
また、歯科技工業の歯科技工室などの粉塵が漂っている仕事の現場では、常時マスク装着が理想である。
しかし技工作業のワックス形成で、溶けたワックスを口で吹いて冷やすという作業は不可欠である。
従来の鼻と口を覆う簡易マスク装着では、その都度、マスクを外す煩わしさがある。
また、マスクの前方にフィルターが付いたマスクでは、前下方の手元の視界が悪く、技工作業がしづらく、従来の簡易マスクはマスクと装着した顔の皮膚との間に隙間ができやすく、密着度が高くないマスクが多い。その結果、その隙間から埃、塵等が入りやすく、マスク本来の性能が発揮されにくく、また、メガネ等、装着の際、息が漏れ、レンズがくもりやすかった。
［非特許文献１］の樹脂（プラスチック）のレジンで製作された鼻のみをカバーするマスクは、顔面印象が正確に採れないと、硬い樹脂（プラスチック）のレジンで製作されたマスクと、皮膚との密着度が、上がらない。
長時間装着では、硬いマスクと皮膚との、強く当たる部分が痛みを生じやすい。
そこで、この発明は、マスクの部品点数を少なくし、鼻部のみをカバーするマスクは、３Ｄスキャニングで、ＰＣ上でデザインすることで、マスクを希望する者および作業者の負担を少なくし、長時間装着でも痛みを生じにくく、皮膚との密着度が高くなる軟質素材を用いて、常時、マスクを装着した状態で技工作業ができる簡易マスクを提供することを課題とする。
【課題を解決するための手段】
【０００６】  以上の課題を解決するために、第一発明は、顔の３Ｄスキャニングで、非接触型の空間計測機器を、フェイシャルスキャナーとして応用することにより、顔面印象におけるマスク使用者の負担を減少させ、ＣＡＤ／ＣＡＭソフトウェアを用いたコンピューター上での、取り扱いにより、個々の鼻に合った形態のデザインを作成し、個人の鼻部の原型を、切削加工または、３Ｄプリンターの積層造形加工で、プラスチック樹脂をオス型、メス型に成形加工する。
製作されたオス型、メス型を合わせて、その空洞に軟質シリコーン樹脂を射出成形し、鼻部のみを、カバーするシリコーン樹脂マスクを製作し、シリコーン樹脂マスクと耳とをつなぐベルトの、シリコーン樹脂マスクから離れたベルトの部位に、フィルターを装着することを特徴とするシリコーンノーズマスクである。
【発明の効果】
【０００７】  第一発明によれば、３Ｄスキャニングで個人個人にあった鼻部のみを覆うだけのシリコーンノーズマスクは、軟質のシリコーン樹脂で製作されたシリコーン樹脂マスクと皮膚との密着度が高く、前下方の視野は良好であり、仕事中、常時装着が可能である。従来の口と鼻を覆うマスクより、マスクの容積が小さいのでマスク自体が軽く、自ら吐いた吐息を吸う量が少なく、フィルターを装着しているので、吸気がクリーンで快適である。
鼻部のみを覆うシリコーン樹脂マスクの製作法も、作業者の技術に依存しにくい作業システムで、シリコーン樹脂マスクの再製が必要となる場合でも、初回製作時に保存したデータ、もしくは、オス型、メス型の金型を利用することで、簡単に複製を製作することができる。
【図面の簡単な説明】
【０００８】
【図１】この発明の一実施形態を示す斜視図である。
【図２】マスク本体１の正面図である。
【図３】ベルト２の側面図である。
【図４】ベルト２のフィルター３部分の側面図である。
【図５】ベルト２のフィルター３部分の断面図である。
【図６】従来技術を示す斜視図である。
【発明を実施するための形態】
【０００９】  この発明の一実施形態を、図１に示す。
フェイシャルスキャナーで、スキャニングをし、ＰＣ上でデザインされたマスクの原型を、プラスチック樹脂で成形加工されたオス型、メス型を製作し、そのオス型メス型を合わせ、その空洞に射出成形されて製作した鼻部のみを覆うマスクの本体１は、軟質のシリコーン樹脂であり、このマスク本体１の側面の表面には、鼻から繋がる息の通り道の穴が設けられている
このマスク本体１の側面の穴と、フィルター３を内蔵したベルト２を、ホースで繋げるように設けられている。
ベルト２のフィルター３の部位は、内部を空気が通るように、立体的に設けられている。
フィルター３部分の表面には、粉塵、花粉の捕集機能が設けられている。
【００１０】「実施形態の効果」
この実施形態によれば、マスク本体１が鼻部のみを覆うので、歯科技工士の作業の中で、ワックスを使った技工でも、口で吹いてワックスを冷却するという作業も、いちいちマスクをはずす煩わしさがなく、また、前下方の手元の視界も良好で歯科技工の能率をあげることができる。
軟質素材のマスクは、長時間使用しても、接触する皮膚に痛みを生じにくく、常にマスク本体１を装着できるので、防塵対策ができ、歯科技工に専念することができる。
「他の実施形態」
図１の実施形態では、現段階で、鼻部のみをカバーするマスクのオス型、メス型を製作して、シリコーン樹脂を射出形成で製作しているが、将来的には、他の実施形態では、直接３Ｄプリンターでシリコーン樹脂を積層加工しても良い。
【符号の説明】
【００１１】１  マスク本体            ２  ベルト
３  フィルター
【図１】
2018042962.tif 000004
【図２】
2018042962.tif 000005
【図３】
2018042962.tif 000006
【図４】
2018042962.tif 000007
【図５】
2018042962.tif 000008
【図６】
2018042962.tif 000009